Podtech/llm-jp-corpus-v4-ja_patent huggingface dataset:
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
包装シートによって吸収性物品が個別に包装される吸収性物品の包装体であって、
前記吸収性物品は、
本体部と、
前記本体部よりも幅方向の外側に延出する一対のフラップ部と、
前記フラップ部の非肌対向面側にそれぞれ配置され、前記フラップ部を下着に止める粘着剤を有する一対のフラップ粘着部と、
前記フラップ部が前記本体部の肌対向面側に折り畳まれた状態で、前記フラップ粘着部を覆うフラップ剥離シートと、を備え、
前記包装体は、前記フラップ部が前記本体部の肌対向面側に折り畳まれた第１折り状態で、前記包装体の前後方向の外端縁である第１端縁が幅方向に延びる第１折り目を基点に前記包装体の内側に折り畳まれるとともに、前記第１折り目を基点に折り畳まれた第２折り状態で、前記幅方向に延びかつ前記第１端縁と反対側の第２端縁側に位置する第２折り目を基点に前記包装体の内側に折り畳まれ、
前記フラップ粘着部及び前記フラップ剥離シートの少なくとも一部は、前記第２折り目よりも前記吸収性物品の前端縁側に配置され、
前記第２折り目を基点に折り畳まれた第３折り状態で、前記包装シートと前記フラップ剥離シートが向き合う領域において前記包装シートと前記フラップ剥離シートを接合するフラップ固定部を有し、
前記本体部は、吸収コアと、前記吸収コアの肌対向面側に位置する表面シートと、前記表面シートの肌対向面側に位置する起立性の防漏ギャザーと、を有し、
前記防漏ギャザーは、防漏弾性部材の収縮によって起立する収縮部と、前記収縮部の立ち上がりの基点となる基点部と、有し、
前記基点部は、前記収縮部よりも幅方向の外側に位置する第１基点部を有し、
前記収縮部は、前記第１基点部から前記幅方向の内側に延びる延出部と、前記延出部の内側縁を基点にして前記幅方向の外側に折り返された折り返し部と、を有し、
前記折り返し部は、前記防漏弾性部材を有し、かつ前記フラップ部から幅方向に延びるフラップ域において前記延出部に対して起立可能に構成されており、
前記折り返し部の外側縁は、前記吸収コアよりも前記幅方向の外側に配置されている、吸収性物品の包装体。
【請求項２】
前記第１基点部の内側縁は、前記フラップ域において、前記吸収コアよりも前記幅方向の外側に配置されている、請求項１に記載の吸収性物品の包装体。
【請求項３】
前記基点部は、前記収縮部よりも前記前後方向の外側に位置する第２基点部を有し、
前記第２基点部の内側縁は、前記吸収コアに重なる領域に配置されている、請求項１又は請求項２に記載の吸収性物品の包装体。
【請求項４】
前記フラップ粘着部は、前記フラップ部を本体部の肌対向面側に折り畳むフラップ折り目と前記幅方向において離間している、請求項１から請求項３のいずれか１項に記載の吸収性物品の包装体。
【請求項５】
前記フラップ固定部は、厚さ方向において、前記一対のフラップ粘着部の間の領域に重なっており、前記フラップ粘着部と離間している、請求項１から請求項４のいずれか１項に記載の吸収性物品の包装体。
【請求項６】
前記基点部は、前記収縮部よりも前記前後方向の外側に位置する第２基点部を有し、
前記防漏ギャザーの前記第２基点部と重なる領域には、前記折り返し部と前記延出部を接合する防漏接合部と、前記防漏接合部よりも前記幅方向の外側に位置し、かつ前記折り返し部と前記延出部が接合されずに重なる防漏非接合部と、が設けられており、
前記防漏非接合部は、前記折り返し部の外側縁に到達している、請求項１から請求項５のいずれか１項に記載の吸収性物品の包装体。
【請求項７】
前記防漏接合部の外側縁は、前記吸収コアの外側縁よりも前記幅方向の外側に配置されている、請求項６に記載の吸収性物品の包装体。
【請求項８】
前記防漏弾性部材は、前記第１折り状態において、前記フラップ剥離シートよりも幅方向の外側に配置されている、請求項１から請求項７のいずれか１項に記載の吸収性物品の包装体。
【請求項９】
前記包装体の展開状態において、前記フラップ部の前記幅方向の中心よりも内側の領域における前記フラップ粘着部の面積は、前記フラップ部の前記幅方向の中心よりも外側の領域における前記フラップ粘着部の面積よりも大きい、請求項１から請求項８のいずれか１項に記載の吸収性物品の包装体。
【請求項１０】
前記吸収コアには、前記フラップ域において、周囲よりも吸収材料の目付が低い低目付部が設けられている、請求項１から請求項９のいずれか１項に記載の吸収性物品の包装体。
【請求項１１】
前記低目付部は、前記厚さ方向において、前記一対のフラップ粘着部の間の領域に重なっている、請求項１０に記載の吸収性物品の包装体。
【請求項１２】
前記低目付部は、前記包装体の展開状態において、前記本体粘着部及び前記フラップ粘着部に重ならない領域に設けられている、請求項１０又は請求項１１に記載の吸収性物品の包装体。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
吸収体と、前記吸収体よりも肌側に配置された肌側シートと、前記吸収体よりも非肌側に配置された外装シートとを有する低体重児用吸収パッドであって、
平面視において、前記吸収体は、前記肌側シート、及び、前記外装シートよりも小さく、
前記吸収体は、高分子吸収剤と、液体吸収性繊維とを有し、
前記高分子吸収剤の坪量は２５０ｇ／ｍ２以上であり、
前記肌側シート及び前記外装シートが溶着部によって接合され、
前記溶着部は、前記低体重児用吸収パッドの端よりも内側に設けられていること
を特徴とする低体重児用吸収パッド。
【請求項２】
請求項１に記載の低体重児用吸収パッドであって、
前記吸収体が配置されている前記低体重児用吸収パッドの部位の厚みは２．５ｍｍ未満であることを特徴とする低体重児用吸収パッド。
【請求項３】
請求項１又は２に記載の低体重児用吸収パッドであって、
前記液体吸収性繊維の坪量は１００ｇ／ｍ２以下であることを特徴とする低体重児用吸収パッド。
【請求項４】
請求項１から３の何れか１項に記載の低体重児用吸収パッドであって、
長手方向及び幅方向を有し、
前記長手方向の長さは１８０ｍｍ以下であり、前記幅方向の長さは７５ｍｍ未満であり、
前記幅方向の一方側における前記吸収体の端から前記低体重児用吸収パッドの端までの前記幅方向の長さを、前記低体重児用吸収パッドの幅で除した値は０．１よりも大きいことを特徴とする低体重児用吸収パッド。
【請求項５】
請求項１から３の何れか１項に記載の低体重児用吸収パッドであって、
長手方向及び幅方向を有し、
前記幅方向の両側部において、前記長手方向に沿う弾性部材は設けられておらず、
前記幅方向の一方側における前記吸収体の端から前記低体重児用吸収パッドの端までの前記幅方向の長さを、前記低体重児用吸収パッドの幅で除した値は０．１よりも大きいことを特徴とする低体重児用吸収パッド。
【請求項６】
請求項１から５の何れか１項に記載の低体重児用吸収パッドであって、
外周縁部において、前記肌側シート及び前記外装シートが、接着剤、及び、前記溶着部によって接合されていることを特徴とする低体重児用吸収パッド。
【請求項７】
請求項１から６のいずれか１項に記載の低体重児用吸収パッドであって、
前記溶着部は、前記接着剤の端よりも内側に設けられていることを特徴とする低体重児用吸収パッド。
【請求項８】
請求項１から７の何れか１項に記載の低体重児用吸収パッドであって、
梱包状態において、前記低体重児用吸収パッドは折られていない状態であることを特徴とする低体重児用吸収パッド。
【請求項９】
請求項１から８の何れか１項に記載の低体重児用吸収パッドであって、
非肌側面に接着部が設けられていないことを特徴とする低体重児用吸収パッド。
【手続補正２】
【補正対象書類名】明細書
【補正対象項目名】０００６
【補正方法】変更
【補正の内容】
【０００６】
上記目的を達成するための主たる発明は、吸収体と、前記吸収体よりも肌側に配置された肌側シートと、前記吸収体よりも非肌側に配置された外装シートとを有する低体重児用吸収パッドであって、平面視において、前記吸収体は、前記肌側シート、及び、前記外装シートよりも小さく、前記吸収体は、高分子吸収剤と、液体吸収性繊維とを有し、前記高分子吸収剤の坪量は２５０ｇ／ｍ２以上であり、前記肌側シート及び前記外装シートが溶着部によって接合され、前記溶着部は、前記低体重児用吸収パッドの端よりも内側に設けられていることを特徴とする低体重児用吸収パッドである。
本発明の他の特徴については、本明細書及び添付図面の記載により明らかにする。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
前記有利状態に制御されることを示唆する複数種類の示唆演出を実行可能な示唆演出実行手段と、
前記複数種類の示唆演出のうちのいずれかの示唆演出が実行される場合、当該示唆演出が実行されるまでの所定期間を報知する報知演出を実行可能な報知演出実行手段と、を備え、
前記報知演出において前記所定期間を報知した後、当該所定期間が経過するよりも前に当該所定期間の報知を認識不能とし、
さらに、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、を備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を行うことが可能であり、遊技者にとって有利な有利状態に制御可能な遊技機であって、有利状態に制御されることを示唆する複数種類の示唆演出を実行可能な示唆演出実行手段と、複数種類の示唆演出のうちのいずれかの示唆演出が実行される場合、当該示唆演出が実行されるまでの所定期間を報知する報知演出を実行可能な報知演出実行手段と、を備え、報知演出において所定期間を報知した後、当該所定期間が経過するよりも前に当該所定期間の報知を認識不能とし、さらに、可変表示に関する情報を保留情報として記憶可能な保留記憶手段と、電力供給の開始に伴い、設定値の設定を許可するための設定許可状態と、設定された設定値を確認するための設定確認状態と、に制御可能な設定制御手段と、設定された設定値に応じた確率により有利状態に制御可能な遊技制御手段と、遊技の進行に応じて動作可能な可動部材と、少なくとも、可動部材を原点位置に復帰させる復帰動作の制御を実行可能な可動制御手段と、設定許可状態であることと設定確認状態であることを、共通の出力量により報知可能な報知手段と、を備え、可動制御手段は、電力供給が開始されたが設定許可状態に制御されないときに、復帰動作の制御を実行可能であり、電力供給が開始されるとともに設定許可状態に制御されたときに、復帰動作の制御を実行せず、設定許可状態に対応して保留情報を含む情報が初期化される一方で、設定確認状態に対応して保留情報を含む情報が初期化されない、ことを特徴とする。
（手段１）また、他の遊技機は、遊技を行うことが可能であり、遊技者にとって有利な有利状態（例えば、大当り遊技状態）に制御可能な遊技機であって、有利状態に制御されることを示唆する複数種類の示唆演出（例えば、予告演出Ａ〜Ｃ）を実行可能な示唆演出実行手段（例えば、演出制御用ＣＰＵ１２０におけるステップ１０５ＩＷＳ２１６を実行する部分）と、複数種類の示唆演出のうちのいずれかの示唆演出が実行される場合、当該示唆演出が実行されるまでの所定期間（例えば、「１０秒」、「２０秒」、「３０秒」）を報知する報知演出（例えば、図２０−１３（Ｂ）に示す報知表示１０５ＩＷ００３の表示）を実行可能な報知演出実行手段（例えば、演出制御用ＣＰＵ１２０におけるステップ１０５ＩＷＳ２０７を実行する部分）とを備え、報知演出において所定期間を報知した後、当該所定期間が経過するよりも前に当該所定期間の報知を認識不能とし（例えば、演出制御用ＣＰＵ１２０におけるステップ１０５ＩＷＳ２１０を実行する部分）、さらに、前記示唆演出に対応したタイトルを報知可能なタイトル報知手段（例えば演出制御用ＣＰＵ１２０）を備え、前記タイトル報知手段は、前記示唆演出の開始から所定期間経過したときに当該示唆演出に対応したタイトルを報知可能である（例えば図２２（Ｄ）、（Ｆ））
ことを特徴とする。そのような構成によれば、報知演出を実行する場合の演出効果を高めることができる。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
種類の異なる複数の演出の各々に対応する項目を遊技者が選択可能に表示して、演出の選択を受付け可能な演出選択手段と、
前記演出選択手段にて受付けた演出を実行可能な演出実行手段と、
特定演出を実行可能な特定演出実行手段と、
を備え、
前記特定演出が第１態様で実行された場合と前記特定演出が第２態様で実行された場合とで、前記演出選択手段が項目の選択を受付ける際の表示態様が異なり、
さらに、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、を備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａの遊技機は、
遊技を行うことが可能な遊技機であって、
種類の異なる複数の演出の各々に対応する項目を遊技者が選択可能に表示して、演出の選択を受付け可能な演出選択手段と、
前記演出選択手段にて受付けた演出を実行可能な演出実行手段と、
特定演出を実行可能な特定演出実行手段と、
を備え、
前記特定演出が第１態様で実行された場合と前記特定演出が第２態様で実行された場合とで、前記演出選択手段が項目の選択を受付ける際の表示態様が異なり、
さらに、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、を備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする。
また、手段１の遊技機は、
遊技を行うことが可能な遊技機（例えば、パチンコ遊技機１）であって、
種類の異なる複数の演出の各々に対応する項目（例えば、第１項目や第２項目）を遊技者が選択可能に表示して、演出の選択を受付け可能な演出選択手段（例えば、演出制御用ＣＰＵ１２０が１１１ＳＧＳ４３５や１１１ＳＧＳ４６６、１１１ＳＧＳ４６７にて第１選択画面や第２選択画面を表示する部分など）と、
前記演出選択手段にて受付けた演出を実行可能な演出実行手段（例えば、演出制御用ＣＰＵ１２０が１１１ＳＧＳ３０５の予告演出処理においてバトル予告やＳＵ予告を実行する部分など）と、
特定演出を実行可能な特定演出実行手段（例えば、演出制御用ＣＰＵ１２０が第１選択演出を実行する部分）と、
を備え、
前記特定演出が第１態様で実行された場合と前記特定演出が第２態様で実行された場合とで、前記演出選択手段が項目の選択を受付ける際の表示態様が異なり（例えば、演出制御用ＣＰＵ１２０が、ＳＵ予告の第１選択演出にてキャラクタＡの選択を受付けた場合、第２選択画面においてパターンＸの第２項目を初期選択状態とし、第１選択演出にてキャラクタＢの選択を受付けた場合、第２選択画面においてパターンＹの第２項目を初期選択状態とし、第１選択演出にてキャラクタＣの選択を受付けた場合、第２選択画面においてパターンＺの第２項目を初期選択状態とする部分。予告演出処理における１１１ＳＧＳ４６０〜１１１ＳＧＳ４６６の処理を実行する部分）、
さらに、
遊技者にとって有利な有利状態（例えば大当り遊技状態）に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図１１（Ｄ）、（Ｆ））
ことを特徴としている。
この特徴によれば、特定演出の態様に応じて項目の表示態様が変わるため、興趣が向上する。また、演出効果を高めることができる。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
検出有効期間に遊技者の動作を検出可能な検出手段と、
前記検出手段が所定期間継続して遊技者の動作を検出したことにより、連続して遊技者の動作を検出したとみなす特定条件が成立したことを判定する判定手段と、
前記特定条件が成立している場合に、動作を検出したことに対応して確認演出を実行するとともに、前記確認演出が特定期間行われたときに演出態様を通常態様から特定態様に変化させた演出を実行可能な演出実行手段とを備え、
前記演出実行手段は、
前記演出態様が前記特定態様となったときに、前記特定条件が成立している場合であっても前記確認演出の実行を制限するとともに、該制限の後に前記確認演出を再度実行し、
さらに、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、を備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
遊技者にとって有利な有利状態に制御可能な遊技機であって、
検出有効期間に遊技者の動作を検出可能な検出手段と、
前記検出手段が所定期間継続して遊技者の動作を検出したことにより、連続して遊技者の動作を検出したとみなす特定条件が成立したことを判定する判定手段と、
前記特定条件が成立している場合に、動作を検出したことに対応して確認演出を実行するとともに、前記確認演出が特定期間行われたときに演出態様を通常態様から特定態様に変化させた演出を実行可能な演出実行手段とを備え、
前記演出実行手段は、
前記演出態様が前記特定態様となったときに、前記特定条件が成立している場合であっても前記確認演出の実行を制限するとともに、該制限の後に前記確認演出を再度実行し、
さらに、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、を備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする。
（１）また、他の遊技機は、
遊技者にとって有利な有利状態に制御可能な遊技機（例えば、パチンコ遊技機１など）であって、
検出有効期間に遊技者の動作を検出可能な検出手段（例えば、プッシュボタン３１Ｂなど）と、
前記検出手段が所定期間継続して遊技者の動作を検出したことにより、連続して遊技者の動作を検出したとみなす特定条件（例えば、演出制御用ＣＰＵ１２０がプッシュボタン３１Ｂの長押し操作を所定期間に亘り継続されるなど）が成立したことを判定する判定手段（例えば、オート連打機能など）と、
前記特定条件が成立している場合に、動作を検出したことに対応して確認演出（例えば、エフェクト演出１７７Ｆ００２など）を実行するとともに、前記確認演出が特定期間（例えば、プッシュボタン３１Ｂの操作が特定回数（例えば１０回）に達した場合）行われたときに演出態様を通常態様から特定態様（例えば、特別演出１７７Ｆ００３の実行など）に変化させた演出を実行可能な演出実行手段（例えば、演出制御基板１２など）とを備え、
前記演出実行手段は、
前記演出態様が前記特定態様となったときに、前記特定条件が成立している場合であっても前記確認演出の実行を制限するとともに（例えば、エフェクト演出１７７Ｆ００２は、特別演出１７７Ｆ００３の実行時間中には実行されないなど）、該制限の後に前記確認演出を再度実行し（例えば、特別演出１７７Ｆ００３が終了した場合、エフェクト演出１７７Ｆ００２が実行される演出を再開する）、
さらに、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図１１（Ｄ）、（Ｆ））。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者の動作を検出可能な検出手段と、
所定演出を実行可能な所定演出実行手段と、を備え、
前記所定演出実行手段は、前記所定演出の実行中に前記検出手段により遊技者の動作が検出されたことに基づいて、前記所定演出を構成する演出態様の少なくとも一部を中断することが可能であり、
前記所定演出が中断された場合に、前記有利状態に制御される期待度を示唆する特殊演出を実行可能な特殊演出実行手段と、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、をさらに備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする遊技機。
【手続補正２】
【補正対象書類名】明細書
【補正対象項目名】０００６
【補正方法】変更
【補正の内容】
【０００６】
（Ａ）  上記目的を達成するため、本願発明に係る遊技機は、
遊技者にとって有利な有利状態に制御可能な遊技機であって、
遊技者の動作を検出可能な検出手段と、
所定演出を実行可能な所定演出実行手段と、を備え、
前記所定演出実行手段は、前記所定演出の実行中に前記検出手段により遊技者の動作が検出されたことに基づいて、前記所定演出を構成する演出態様の少なくとも一部を中断することが可能であり、
前記所定演出が中断された場合に、前記有利状態に制御される期待度を示唆する特殊演出を実行可能な特殊演出実行手段と、
可変表示に関する情報を保留情報として記憶可能な保留記憶手段と、
電力供給の開始に伴い、設定値の設定を許可するための設定許可状態と、設定された設定値を確認するための設定確認状態と、に制御可能な設定制御手段と、
設定された設定値に応じた確率により有利状態に制御可能な遊技制御手段と、
遊技の進行に応じて動作可能な可動部材と、
少なくとも、前記可動部材を原点位置に復帰させる復帰動作の制御を実行可能な可動制御手段と、
前記設定許可状態であることと前記設定確認状態であることを、共通の出力量により報知可能な報知手段と、をさらに備え、
前記可動制御手段は、
電力供給が開始されたが前記設定許可状態に制御されないときに、前記復帰動作の制御を実行可能であり、
電力供給が開始されるとともに前記設定許可状態に制御されたときに、前記復帰動作の制御を実行せず、
前記設定許可状態に対応して前記保留情報を含む情報が初期化される一方で、前記設定確認状態に対応して前記保留情報を含む情報が初期化されない、
ことを特徴とする。
（１）  また、他の遊技機は、
遊技者にとって有利な有利状態（大当り遊技状態等）に制御可能な遊技機（パチンコ遊技機１等）であって、
遊技者の動作を検出可能な検出手段（プッシュセンサ３５Ｂ等）と、
所定演出（図２６（ｂ）に示す楽譜画像１８４Ｆ００１を表示する第１所定演出等）を実行可能な所定演出実行手段（演出制御用ＣＰＵ１２０等）とを備え、
前記所定演出実行手段は、前記所定演出の実行中に前記検出手段により遊技者の動作が検出されたことに基づいて、前記所定演出を構成する演出態様の少なくとも一部を中断することが可能であり（図２６（ｄ）に示すように、第１所定演出の実行中にプッシュボタン３１Ｂを操作することによってプッシュセンサ３５Ｂにより遊技者の動作が検出されたことに基づいて、第１所定演出を構成するエフェクト画像の付加を中断する等）、
前記所定演出が中断された場合に、前記有利状態に制御される期待度を示唆する特殊演出を実行可能な特殊演出実行手段（演出制御用ＣＰＵ１２０は、第１所定演出が中断された場合に、キャラクタ画像１８４Ｆ００２が期待度を示す特殊演出を実行する等）と、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、をさらに備え、
前記タイトル報知手段は、前記示唆演出の開始から所定期間経過したときに当該示唆演出に対応したタイトルを報知可能である（例えば図３１（Ｄ）、（Ｆ））。
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
長手方向と幅方向とを有し、
吸収体と、前記吸収体よりも肌側に配置された肌側シートと、前記吸収体よりも非肌側に配置された外装シートとを有する低体重児用吸収パッドであって、
前記長手方向の長さは１８０ｍｍ以下であり、前記幅方向の長さは７５ｍｍ未満であり、
梱包状態において、前記低体重児用吸収パッドは折られていない状態であり、
前記外装シートの非肌側から視認可能なデザイン柄を有し、
非肌側面に接着部が設けられておらず、
前記低体重児用吸収パッドは、下着又は使い捨ておむつに貼り付けられないように構成されていること
を特徴とする低体重児用吸収パッド。
【請求項２】
請求項１に記載の低体重児用吸収パッドであって、
前記吸収体と前記肌側シートとの間に、液透過性の中間シートを有することを特徴とする低体重児用吸収パッド。
【請求項３】
請求項２に記載の低体重児用吸収パッドであって、
前記中間シートの厚みは、前記肌側シートの厚みよりも薄いことを特徴とする低体重児用吸収パッド。
【請求項４】
請求項２又は３に記載の低体重児用吸収パッドであって、
前記中間シートの密度は、前記肌側シートの密度よりも高いことを特徴とする低体重児用吸収パッド。
【請求項５】
請求項１から４の何れか１項に記載の低体重児用吸収パッドであって、
前記低体重児用吸収パッドを、肌側面を上にして黒色の板に載せた状態で、前記低体重児用吸収パッドを肌側から見た場合に、前記デザイン柄が視認不可能であることを特徴とする低体重児用吸収パッド。
【請求項６】
請求項１から５の何れか１項に記載の低体重児用吸収パッドであって、
５０ルクスの照明下で、前記低体重児用吸収パッドを空中に浮かして保持した状態で、前記低体重児用吸収パッドを肌側から見た場合に、前記低体重児用吸収パッドのうち前記吸収体が存在する部位において、前記デザイン柄が視認不可能であることを特徴とする低体重児用吸収パッド。
【請求項７】
請求項１から６の何れか１項に記載の低体重児用吸収パッドであって、
前記デザイン柄は、第１色を有する第１デザイン柄と、前記第１色とは異なる色である第２色を有する第２デザイン柄とを有し、
前記第１デザイン柄、及び、前記第２デザイン柄は、前記低体重児用吸収パッドの前記長手方向の中心線と、前記幅方向の中心線とのうちの少なくとも一方に対して、非対称に配置されていることを特徴とする低体重児用吸収パッド。
【請求項８】
請求項１から７の何れか１項に記載の低体重児用吸収パッドを複数内包する低体重児用吸収パッドのパッケージであって、
前記デザイン柄が異なる複数の低体重児用吸収パッドを内包することを特徴とする低体重児用吸収パッドのパッケージ。
【手続補正２】
【補正対象書類名】明細書
【補正対象項目名】０００６
【補正方法】変更
【補正の内容】
【０００６】
上記目的を達成するための主たる発明は、長手方向と幅方向とを有し、吸収体と、前記吸収体よりも肌側に配置された肌側シートと、前記吸収体よりも非肌側に配置された外装シートとを有する低体重児用吸収パッドであって、前記長手方向の長さは１８０ｍｍ以下であり、前記幅方向の長さは７５ｍｍ未満であり、梱包状態において、前記低体重児用吸収パッドは折られていない状態であり、前記外装シートの非肌側から視認可能なデザイン柄を有し、非肌側面に接着部が設けられておらず、前記低体重児用吸収パッドは、下着又は使い捨ておむつに貼り付けられないように構成されていることを特徴とする低体重児用吸収パッドである。
本発明の他の特徴については、本明細書及び添付図面の記載により明らかにする。
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
上面及び側面を有する発光素子と、
前記発光素子からの光を透過する光透過部材であって、前記発光素子に対向する下面を有し、前記下面が前記発光素子の上面よりも大きい光透過部材と、
前記光透過部材を保持する第１反射部材と、
前記発光素子の側面を被覆する第２反射部材と、を備え、
前記第１反射部材は、前記光透過部材の下面と異なる平面上に位置する底面を有しており、
前記底面と前記第２反射部材が接しており、
前記発光素子は、前記発光素子の側面に沿って透光性樹脂を有し、前記透光性樹脂は前記光透過部材側に広がるように側面が傾斜している傾斜部を有しており、
前記第１反射部材の底面は、前記光透過部材の下面よりも上側に位置することを特徴とする発光装置。
【請求項２】
前記光透過部材の側面が、前記第１反射部材及び前記第２反射部材により被覆されている請求項１に記載の発光装置。
【請求項３】
前記発光素子は、前記光透過部材と接着材を介して接着されている請求項１または２に記載の発光装置。
【請求項４】
前記第２反射部材は、前記接着材と接している請求項３に記載の発光装置。
【請求項５】
前記光透過部材は、蛍光体を含有している請求項１から４のいずれかに記載の発光装置。
【請求項６】
前記発光素子が、青色発光素子又は紫外線発光素子のいずれかであって、
前記蛍光体が、セリウムで賦活されたイットリウム・アルミニウム・ガーネット系蛍光体（Ｃｅ：ＹＡＧ）；セリウムで賦活されたルテチウム・アルミニウム・ガーネット系蛍光体（Ｃｅ：ＬＡＧ）；ユウロピウムおよび／又はクロムで賦活された窒素含有アルミノ珪酸カルシウム系蛍光体（ＣａＯ−Ａｌ２Ｏ３−ＳｉＯ２）；ユウロピウムで賦活されたシリケート系蛍光体（（Ｓｒ，Ｂａ）２ＳｉＯ４）；βサイアロン蛍光体、ＣＡＳＮ系蛍光体、ＳＣＡＳＮ系蛍光体等の窒化物系蛍光体；ＫＳＦ系蛍光体（Ｋ２ＳｉＦ６：Ｍｎ）；硫化物系蛍光体、量子ドット蛍光体のいずれかを含む、請求項５に記載の発光装置。
【請求項７】
前記第１反射部材は、シリコーン樹脂、シリコーン変性樹脂、エポキシ樹脂、フェノール樹脂のいずれかを含む透光性樹脂に、酸化チタン、二酸化ケイ素、二酸化チタン、二酸化ジルコニウム、チタン酸カリウム、アルミナ、窒化アルミニウム、窒化ホウ素、ムライトのいずれかを含む光反射性物質が分散されたものである請求項１から６のいずれかに記載の発光装置。
【請求項８】
前記第２反射部材は、シリコーン樹脂、シリコーン変性樹脂、エポキシ樹脂、フェノール樹脂のいずれかを含む透光性樹脂に、酸化チタン、二酸化ケイ素、二酸化チタン、二酸化ジルコニウム、チタン酸カリウム、アルミナ、窒化アルミニウム、窒化ホウ素、ムライトのいずれかを含む光反射性物質が分散されたものである請求項１から７のいずれかに記載の発光装置。
【請求項９】
前記光透過部材は、シリコーン樹脂、シリコーン変性樹脂、エポキシ樹脂、フェノール樹脂などの熱硬化性樹脂、ポリカーボネート樹脂、アクリル樹脂、メチルペンテン樹脂、ポリノルボルネン樹脂のいずれかを含む透光性樹脂である請求項１から８のいずれかに記載の発光装置。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
常時入球可能な第１始動口と、
可変入賞装置内に設けた第２始動口と、
前記第１始動口又は前記第２始動口への遊技球の入球に起因して抽出された乱数に基づいて当否判定を実行する当否判定手段と、
前記第１始動口への入球に起因する当否判定の結果及び前記第２始動口への入球に起因する当否判定の結果を、特別図柄を表示せしめて報知する図柄表示装置と、を備え、
前記図柄表示装置に、前記当否判定の結果に応じて大当り図柄が確定表示されることにより大入賞口を開放する第１の大当り遊技を実施し、小当り図柄が確定表示されることにより遊技球が通過可能な特定領域を備えた大入賞口を開放する小当り遊技を実施するようになし、
且つ前記小当り遊技において遊技球が前記特定領域を通過することにより前記大入賞口を開放する第２の大当り遊技を実施するようになし、前記第１又は第２の大当り遊技終了後に、前記可変入賞装置が開放する開放時間を通常の遊技状態時よりも延長する、又は／及び前記可変入賞装置が開放する開放回数を増加する開放延長状態に移行可能となる弾球遊技機であって、
前記当否判定の結果に応じて複数種類の前記大当り図柄の中から、報知する図柄の種類を決定する図柄決定手段と、
前記大当り遊技終了後に移行する前記開放延長状態を、複数種類の中から設定する開放延長状態設定手段と、を備え、
前記開放延長状態設定手段は、
設定可能な前記開放延長状態として、少なくとも、前記特別図柄が第１小当り図柄で所定回数当選するまで継続される第１開放延長状態と、前記特別図柄が第２小当り図柄で前記所定回数当選するまで継続される第２開放延長状態と、を設定可能であり、
前記開放延長状態へ移行する前の前記第１の大当り遊技の起因となる大当り図柄に基づいて前記開放延長状態の種類を決定するようになし、
前記当否判定の結果に応じて前記第２小当り図柄が決定されるよりも高い割合で前記第１小当り図柄が決定され、
前記第１小当り図柄及び前記第２小当り図柄以外の小当り図柄を備えることを特徴とする弾球遊技機。
【手続補正２】
【補正対象書類名】明細書
【補正対象項目名】０００７
【補正方法】変更
【補正の内容】
【０００７】
請求項１の発明は、
常時入球可能な第１始動口と、
可変入賞装置内に設けた第２始動口と、
前記第１始動口又は前記第２始動口への遊技球の入球に起因して抽出された乱数に基づいて当否判定を実行する当否判定手段と、
前記第１始動口への入球に起因する当否判定の結果及び前記第２始動口への入球に起因する当否判定の結果を、特別図柄を表示せしめて報知する図柄表示装置と、を備え、
前記図柄表示装置に、前記当否判定の結果に応じて大当り図柄が確定表示されることにより大入賞口を開放する第１の大当り遊技を実施し、小当り図柄が確定表示されることにより遊技球が通過可能な特定領域を備えた大入賞口を開放する小当り遊技を実施するようになし、
且つ前記小当り遊技において遊技球が前記特定領域を通過することにより前記大入賞口を開放する第２の大当り遊技を実施するようになし、前記第１又は第２の大当り遊技終了後に、前記可変入賞装置が開放する開放時間を通常の遊技状態時よりも延長する、又は／及び前記可変入賞装置が開放する開放回数を増加する開放延長状態に移行可能となる弾球遊技機であって、
前記当否判定の結果に応じて複数種類の前記大当り図柄の中から、報知する図柄の種類を決定する図柄決定手段と、
前記大当り遊技終了後に移行する前記開放延長状態を、複数種類の中から設定する開放延長状態設定手段と、を備え、
前記開放延長状態設定手段は、
設定可能な前記開放延長状態として、少なくとも、前記特別図柄が第１小当り図柄で所定回数当選するまで継続される第１開放延長状態と、前記特別図柄が第２小当り図柄で前記所定回数当選するまで継続される第２開放延長状態と、を設定可能であり、
前記開放延長状態へ移行する前の前記第１の大当り遊技の起因となる大当り図柄に基づいて前記開放延長状態の種類を決定するようになし、
前記当否判定の結果に応じて前記第２小当り図柄が決定されるよりも高い割合で前記第１小当り図柄が決定され、
前記第１小当り図柄及び前記第２小当り図柄以外の小当り図柄を備えることを特徴とする。
【手続補正３】
【補正対象書類名】明細書
【補正対象項目名】００１０
【補正方法】変更
【補正の内容】
【００１０】
また、前記開放延長状態設定手段は、設定可能な前記開放延長状態として、前記特別図柄が前記第１小当り図柄及び前記第２小当り図柄に拘わらず全ての小当り図柄が所定回数当選するまで前記開放延長状態とする第３開放延長状態を備えることを特徴とする。
【手続補正４】
【補正対象書類名】明細書
【補正対象項目名】００１１
【補正方法】変更
【補正の内容】
【００１１】
これによれば、開放延長状態を多彩にすることができる。開放延長状態の継続期間がもっとも短く不利な条件を設定することができ、より興趣の高い遊技性を発揮することができる。開放延長状態は、継続期間が長いほど遊技者に有利となるため、全ての小当り図柄の小当りが終了条件となる第３開放延長状態が最も不利である。
【手続補正５】
【補正対象書類名】明細書
【補正対象項目名】００１２
【補正方法】変更
【補正の内容】
【００１２】
また、前記当否判定の結果に応じて前記第２小当り図柄が決定されるよりも高い割合で前記第１小当り図柄が決定されることを特徴とする。
【誤訳訂正書】
【提出日】令和2年11月4日(2020.11.4)
【誤訳訂正１】
【訂正対象書類名】特許請求の範囲
【訂正対象項目名】全文
【訂正方法】変更
【訂正の内容】
【特許請求の範囲】
【請求項１】
汚染物質にさらされる操作のためのクリーンルームにおける少なくとも１つの室内環境条件を制御する装置であって、
少なくとも１つのプロセッサーと、
プログラム命令を記憶している少なくとも１つのメモリーと、を有し、
前記プログラム命令は、前記少なくとも１つのプロセッサーによって実行される場合、
前記操作中に、前記ルームの内部にいる人の人数の第１のデータを受信し、
前記操作の前に、前記操作中に前記人によって着られる衣服の、放出された粒子の絶縁に関連する既知の特性を含む、前記衣類の既知の品質の第２のデータを受信し、
前記第１のデータおよび前記第２のデータに基づいて、前記室内環境条件の清浄度レベルを制御するように構成された、前記ルームにおける少なくとも１つのｈｖａｃ装置に対し、信号を送信することを、
前記装置に実行させる、装置。
【請求項２】
前記清浄度レベルは、前記ルームの換気の量に、部分的に基づいて制御される、あるいは、
前記換気は、ルームに入ってくる空気の量に、部分的に基づいて制御される、あるいは、
前記清浄度レベルは、前記ルームから出ていく空気の量に、部分的に基づいて制御される、あるいは、
前記ルームに導入される前記空気は、前記ルームに導入される前よりも衛生的にされる、請求項１に記載の装置。
【請求項３】
前記プログラム命令は、
操作の第３のデータを受信し、
前記第１のデータ、前記第２のデータおよび前記第３のデータに基づいて、前記室内環境条件を制御するように構成された、前記ルームにおける少なくとも１つのｈｖａｃ装置に対し、信号を送信することを、
前記装置にさらに実行させる、請求項１または２に記載の装置。
【請求項４】
前記第１のデータは、前記ルームの内部にいる人の人数を検出している計算機システムから受信される、請求項１〜３のいずれか１項に記載の装置。
【請求項５】
前記第１のデータは、人間の介入なしで自動的に受信され、あるいは、
前記第１のデータあるいは前記第２のデータは、前記装置に手動で入力される、請求項１〜４のいずれか１項に記載の装置。
【請求項６】
前記ルームの内部における放出を増加させる活動に関する情報の受信は、前記装置に信号をさらに送信させることを引き起こし、あるいは、
前記少なくとも１つのメモリーが記憶しているプログラム命令は、前記少なくとも１つのプロセッサーにより実行されて、
前記ルームのドアが開放されていることを示している第４のデータを受信し、そして、
前記清浄度レベルを制御するように構成された前記少なくとも１つのｈｖａｃ装置のパフォーマンスを一時的に増加させるため、前記第４のデータに基づいて、前記少なくとも１つのｈｖａｃ装置に対し、信号を送信することを、
前記装置にさせる、請求項１〜５のいずれか１項に記載の装置。
【請求項７】
前記ルームは、手術室を有し、
前記手術室は、汚染物質の対象となるエリアが設けられる手術面を有し、
前記プログラム命令は、
前汚染物質の対象となる前記エリアの原因となる操作のデータを受信し、
前記操作のデータに基づいて、前記室内環境条件を制御するように構成された、前記手術室における少なくとも１つのｈｖａｃ装置に対し、信号を送信することを、
前記装置にさらに実行させる、請求項１〜６のいずれか１項に記載の装置。
【請求項８】
汚染物質の対象となるエリアは、創傷エリアを有し、前記操作は、前記創傷エリアを生じさせる、請求項１〜７のいずれか１項に記載の装置。
【請求項９】
前記装置は、前記ルームの管理システムにリンクされ、そして、前記第１のデータは、前記管理システムから受信され、あるいは、
前記装置は、前記ルームの不動産システムにリンクされ、そして、前記第１のデータは、前記不動産システムから受信され、あるいは、
前記装置は、前記ルームの患者管理システムにリンクされ、そして、前記第１のデータは、前記患者管理システムから受信される、請求項１〜８のいずれか１項に記載の装置。
【請求項１０】
前記操作のデータは、患者管理システムのワークリストから受信され、あるいは、
前記操作のデータは、前記ルームの内部で実行される操作のタイプを有し、あるいは、
前記第１のデータは、前記操作のスケジュールを有する操作のデータを、さらに有し、あるいは、
前記操作のデータは、操作の緊急度レベルを有する、請求項１〜９のいずれか１項に記載の装置。
【請求項１１】
前記ｈｖａｃ装置の少なくとも１つは、暖房装置、換気装置あるいは空気調和装置を有する、請求項１〜１０のいずれか１項に記載の装置。
【請求項１２】
前記第１のデータは、前記ルームの室内環境条件のデータをさらに有する、請求項１〜１１のいずれか１項に記載の装置。
【請求項１３】
汚染物質にさらされる操作のためのクリーンルームにおける少なくとも１つの室内環境条件を制御する方法であって、
前記操作中に、前記ルームの内部にいる人の人数の第１のデータを受信すること、
前記操作の前に、前記操作中に前記人によって着られる衣服の、放出された粒子の絶縁に関連する既知の特性を含む、前記衣類の既知の品質の第２のデータを受信すること、
前記第１のデータおよび前記第２のデータに基づき、前記室内環境条件の清浄度レベルを制御するように構成された、前記ルームにおける少なくとも１つのｈｖａｃ装置に対し、信号を送信すること、を有する、方法。
【請求項１４】
コンピューターに、請求項１３の方法のステップを実行させるように構成されたプログラム可能な手段を有するコンピュータープログラム。
【誤訳訂正２】
【訂正対象書類名】明細書
【訂正対象項目名】００１２
【訂正方法】変更
【訂正の内容】
【００１２】
一実施例によれば、装置３００は、ルーム１０の内部にいる人の衣類のデータを受信する。ルーム１０の内部にいる人の衣類のタイプあるいは品質が、装置３００に入力される。これは、彼らがルーム１０の内部にいるときに着用している保護衣あるいは特殊な衣類に関連させることが可能である。特殊な衣類のタイプあるいは品質および特性は、知られており、装置３００に与えることが可能である。例えば、データは、衣類から放出された粒子、上記衣類の絶縁、その他と、関連させることが可能である。
【誤訳訂正３】
【訂正対象書類名】明細書
【訂正対象項目名】００３７
【訂正方法】変更
【訂正の内容】
【００３７】
手術室の室内環境条件に影響を及ぼしている人数に加えて、スタッフの衣類も、室内環境条件に影響を及ぼすことが可能である。例えば、手術室のスタッフは、一定のタイプの保護衣を有することが可能である。例えば、分離された粒子の量、絶縁である。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されたリールと、前記リールを内側から照らすバックライトと、を備える遊技機であって、
前記バックライトは、
光源が複数実装された光源基板と、
前記光源を露出させる開口を複数有し、前記光源基板の前記光源が実装された面の少なくとも一部を覆うように配置される、光を反射する仕切り部材と、を備え、
前記光源基板には、前記光源それぞれを識別可能とする数字を含む識別符号が設けられており、
前記識別符号は、前記仕切り部材が配置された状態においても前記開口を介して各識別符号の前記数字の全体が見えるようになっていることを特徴とする遊技機。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
遊技の進行を制御する主制御部と、前記主制御部から送信されるコマンドに基づいて演出を制御する副制御部と、を備え、
前記主制御部は、
予め設定された所定の契機で、所定のコマンドを送信するコマンド送信手段を備え、
前記副制御部は、
電源投入後に最初に受信した前記所定のコマンドに基づいた特定情報を初期情報として記憶部に記憶する初期情報記憶手段と、
前記初期情報が記憶された後に、所定の情報と、前記記憶部に記憶された前記初期情報とを比較する判定手段と、
を備える遊技機。
【請求項２】
前記所定の情報と、前記記憶部に記憶された前記初期情報とが不一致であると判定された場合に、所定のエラー処理を実行するエラー処理実行手段を備える請求項１に記載の遊技機。
【請求項３】
遊技球が流下する遊技領域が形成された遊技盤と、
前記遊技領域に設けられた入賞口と、
を備え、
前記コマンド送信手段は、前記入賞口への遊技球の入球を契機として前記所定のコマンドを送信する請求項１または２に記載の遊技機。
【請求項４】
前記入賞口に遊技球が入球した場合に所定数の賞球を払い出す払出制御手段を備え、
前記所定のコマンドは、賞球数を識別可能に構成される請求項３に記載の遊技機。
【手続補正２】
【補正対象書類名】明細書
【補正対象項目名】０００６
【補正方法】変更
【補正の内容】
【０００６】
上記課題を解決するために、本発明の遊技機は、遊技の進行を制御する主制御部と、前記主制御部から送信されるコマンドに基づいて演出を制御する副制御部と、を備え、前記主制御部は、予め設定された所定の契機で、所定のコマンドを送信するコマンド送信手段を備え、前記副制御部は、電源投入後に最初に受信した前記所定のコマンドに基づいた特定情報を初期情報として記憶部に記憶する初期情報記憶手段と、前記初期情報が記憶された後に、所定の情報と、前記記憶部に記憶された前記初期情報とを比較する判定手段と、を備える。
【手続補正３】
【補正対象書類名】明細書
【補正対象項目名】０００７
【補正方法】変更
【補正の内容】
【０００７】
また、前記所定の情報と、前記記憶部に記憶された前記初期情報とが不一致であると判定された場合に、所定のエラー処理を実行するエラー処理実行手段を備えるとよい。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
複数のユーザがゲームをプレイするために用いるグループを生成するグループ生成手段
と、
前記グループが生成された場合に、当該グループに関連付けられる複数の識別情報を生
成する識別情報生成手段と、
を含み、
前記複数の識別情報には、それぞれ互いに異なる機能が対応付けられている、
ゲームシステム。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
処理フローの前段に濃縮機構が配置された消化槽に水及び／又は種汚泥を投入することと、
種汚泥と原汚泥とを濃縮し、濃縮汚泥を得ることと、
前記濃縮汚泥を前記消化槽に投入することと、
前記消化槽への前記濃縮汚泥の投入量を増加させることと
を含む嫌気性消化槽の立ち上げ方法。
【請求項２】
処理フローの前段に濃縮機構が配置された消化槽に水及び／又は種汚泥を投入することと、
原汚泥を濃縮し、濃縮汚泥を得ることと、
前記濃縮汚泥を前記消化槽に投入することと、
前記消化槽内の汚泥の一部を引き抜いて引抜汚泥を得ることと、
前記引抜汚泥の少なくとも一部を前記原汚泥とともに濃縮し、前記消化槽へ返送することと
を含む嫌気性消化槽の立ち上げ方法。
【請求項３】
処理フローの前段に濃縮機構が配置された消化槽に水及び／又は種汚泥を投入することと、
種汚泥と原汚泥とを濃縮し、濃縮汚泥を得ることと、
前記濃縮汚泥を前記消化槽に投入することと、
前記消化槽から汚泥の一部を引き抜いて引抜汚泥を得ることと、
前記引抜汚泥の少なくとも一部を前記種汚泥及び前記原汚泥とともに濃縮し、前記消化槽へ返送することと、
前記消化槽へ投入する濃縮汚泥の投入量を増加させることと
を含む嫌気性消化槽の立ち上げ方法。
【請求項４】
前記消化槽に水及び／又は種汚泥を投入する際、前記種汚泥を投入する場合には、前記種汚泥を前記濃縮機構において濃縮処理した後に前記消化槽へ投入することを含む請求項１〜３のいずれか１項に記載の嫌気性消化槽の立ち上げ方法。
【請求項５】
前記種汚泥として、既設の消化槽から発生する汚泥を用いることを含む請求項１〜４のいずれか１項に記載の嫌気性消化槽の立ち上げ方法。
【請求項６】
原汚泥を濃縮して濃縮汚泥を得る濃縮機構と、前記濃縮汚泥を嫌気性消化処理する消化槽と、消化槽と前記濃縮機構との間に配置され、前記消化槽から引き抜かれた引抜汚泥の一部を前記濃縮機構へ循環させる配管とを備えることを特徴とする嫌気性消化システム。
【請求項７】
種汚泥を前記濃縮機構へ供給する汚泥供給手段を更に備える請求項６に記載の嫌気性消化システム。